(57)【要約】【課題】発光装飾体をむらなく発光させる。【解決手段】発光装飾体１０は、同じ向きに光を照射し得る複数の光源１６と、これらの光源１６の光照射方向前側に配設され、光源１６から照射された光を反射し得る反射部１８と、光源１６を挟んで反射部１８と反対側に該反射部１８に対面するよう配設され、反射部１８の反射光を受けて外方に臨む端面２０ａが発光される導光体２０とを備えている。また、発光装飾体１０は、ベース１２と、板状に形成された導光体２０および光源１６を覆うように配設され、反射部１８が設けられたカバー１４とを備えている。【選択図】図２
2013118175.tif 000002
【特許請求の範囲】
【請求項１】
光源と、
前記光源の光照射方向前側に配設され、光源から照射された光を反射し得る反射部と、
前記光源を挟んで前記反射部と反対側に位置して該反射部と対面するよう配設され、光を透過可能で、反射部の光によって外方に臨む部分が発光される導光体とを備えた
ことを特徴とする発光装飾体。
【請求項２】
前記反射部は、独泡構造の発泡体シートによって構成される請求項１記載の発光装飾体。
【請求項３】
前記光源が実装された基板と前記導光体とが重なるように配設され、
前記基板は、前記導光体よりも小さく形成された請求項１または２記載の発光装飾体。
【請求項４】
ベースと、板状に形成された前記導光体および前記光源を覆うように配設されたカバーとを備え、
前記導光体は、周縁部が前記ベースと光を透過しない前記カバーとに挟まれて、ベースとカバーとの間に臨む端面が外方に臨むよう構成された請求項１〜３の何れか一項に記載の発光装飾体。
【請求項５】
前記反射部は、前記ベースまたは前記カバーに設けられた請求項４記載の発光装飾体。
【発明の詳細な説明】
【技術分野】
【０００１】
この発明は、オーナメントなどの発光装飾体に関するものである。
【背景技術】
【０００２】
車両には、図６に示すようなエンブレムやネームプレート等のオーナメント４０が設けられ、オーナメント自体を発光させることで、装飾性を高めている。図７に示すように、オーナメント４０は、ベース４２に保持され、上方へ光を照射する光源４４が上面に複数設けられた基板４６と、この基板４６の上方に配設されて、光を透過する導光板４８と、この導光板４８の上側を覆うように配設されて、光を透過しない意匠カバー５０とから構成されている。オーナメント４０は、光源４４から光を照射することで、ベース４２と意匠カバー５０との間に挟まれて外方に臨む導光板４８の側端面４８ａを発光させて、該オーナメント４０の周縁部を発光装飾するようになっている。
【０００３】
前記オーナメント４０は、光源４４によって照らされる部分周辺が明るくなる一方、光源４４と光源４４との間が暗くなり、光源４４の配置によって明るさにむらができてしまう。このような明るさのむらを解消するために、光源４４を密に配置することが考えられるが、光源４４を多く必要とするために部品点数や消費電力の増加を招く難点が指摘される。そこで、特許文献１に開示のように、光を拡散し得るよう構成された光拡散板を、光源の前側に配設した構造が提案されている。
【先行技術文献】
【特許文献】
【０００４】
【特許文献１】特開２００９−１８７４７号公報
【発明の概要】
【発明が解決しようとする課題】
【０００５】
前記オーナメント４０は、全体的なデザインや周囲とのバランスなどの制約によって、ベース４２と意匠カバー５０との間隔を大きくとることができず、このため導光板４８と光源４４との間隔をあけることができない。すなわち、導光板４８と光源４４とが近接配置されるため、特許文献１のように光を拡散し得る導光板を用いたとしても、明るさのむらを十分に解消することができない。
【０００６】
すなわち本発明は、従来の技術に係る発光装飾体に内在する前記問題に鑑み、これらを好適に解決するべく提案されたものであって、少ない光源でむらなく発光装飾し得る発光装飾体を提供することを目的とする。
【課題を解決するための手段】
【０００７】
前記課題を克服し、所期の目的を達成するため、本願の請求項１に係る発明の発光装飾体は、
光源と、
前記光源の光照射方向前側に配設され、光源から照射された光を反射し得る反射部と、
前記光源を挟んで前記反射部と反対側に位置して該反射部と対面するよう配設され、光を透過可能で、反射部の光によって外方に臨む部分が発光される導光体とを備えたことを要旨とする。
請求項１に係る発明によれば、光源から照射した光を反射部での反射により拡散させた後に導光体に入射させるから、光源の位置だけが明るくなることを回避でき、導光体における外方に臨む部分をむらなく一様に光らせることができる。
【０００８】
請求項２に係る発明では、前記反射部は、独泡構造の発泡体シートによって構成されることを要旨とする。
請求項２に係る発明によれば、発泡体シートからなる反射部は、光反射の角度依存性が少ないので、導光体における外方に臨む部分をよりむらなく光らせることができる。
【０００９】
請求項３に係る発明では、前記光源が実装された基板と前記導光体とが重なるように配設され、
前記基板は、前記導光体よりも小さく形成されたことを要旨とする。
請求項３に係る発明によれば、光源を実装した基板が導光体に対する反射光の入射の邪魔にならない。
【００１０】
請求項４に係る発明では、ベースと、板状に形成された前記導光体および前記光源を覆うように配設されたカバーとを備え、
前記導光体は、周縁部が前記ベースと光を透過しない前記カバーとに挟まれて、ベースとカバーとの間に臨む端面が外方に臨むよう構成されたことを要旨とする。
請求項４に係る発明によれば、ベースとカバーとの間に挟まれて外方に臨む導光体の端面をむらなく光らせることができる。
【００１１】
請求項５に係る発明では、前記反射部は、前記ベースまたは前記カバーに設けられたことを要旨とする。
請求項５に係る発明によれば、ベースまたはカバーを反射部の設置部分として用いることで、部品点数を減らすことができる。
【発明の効果】
【００１２】
本発明に係る発光装飾体によれば、少ない光源でむらなく発光装飾を行うことができる。
【図面の簡単な説明】
【００１３】
【図１】本発明の好適な実施例１に係る発光装飾体について、カバーの一部を切り欠いて示す概略平面図である。
【図２】図１のＡ−Ａ線断面図である。
【図３】実施例２に係る発光装飾体の要部を示す断面図であって、図１のＡ−Ａ線に対応する部分で破断している。
【図４】変更例１の発光装飾体の要部を示す概略断面図である。
【図５】変更例２の発光装飾体の要部を示す概略断面図である。
【図６】一般的なオーナメントを示す概略斜視図である。
【図７】従来のオーナメントの内部構造を説明する断面図であって、図６のＢ−Ｂ線断面に対応する。
【発明を実施するための形態】
【００１４】
次に、本発明に係る発光装飾体につき、好適な実施例を挙げて、添付図面を参照して以下に説明する。
【実施例１】
【００１５】
図１に示すように、実施例１に係る発光装飾体１０は、全体としてリング形状に形成されており、自動車のフードにエンブレムとして配設されるものである。図２に示すように、発光装飾体１０は、車体に取り付けられるベース１２と、このベース１２の上側(表側)を覆うカバー１４とによって外殻が基本的に構成され、ベース１２とカバー１４との間に、複数の光源１６、反射部１８および導光体２０が配設されている。発光装飾体１０は、リング形状の板材からなるベース１２の上側に、導光体２０、複数の光源１６、反射部１８およびカバー１４の順番で配置され、光源１６から照射した光を反射部１８で反射させて、この反射光を受けて導光体２０を発光させるよう構成される。なお、ベース１２における導光体２０側の面は、光を反射し得るように構成してもよい。
【００１６】
前記複数の光源１６は、基板１７の一面(上面)に実装されており、これらの光源１６から同じ向き(実施例１では上方)に光を照射し得るよう構成されている。すなわち、複数の光源１６からの光線が互いに並行する関係になっている。ベース１２と同様にリング形状に形成された基板１７には、複数の光源１６が同じ間隔になるように並べられ、円形配列された複数の光源１６が、ベース１２(導光体２０)における外周縁と内周縁との間の中央部に配置されている(図１参照)。光源１６としては、ＬＥＤや電球などを採用可能であり、実施例１ではＬＥＤが用いられている。
【００１７】
前記カバー１４は、導光体２０および基板１７(光源１６)を覆うようにベース１２の上側に配設され(図２参照)、外方に露出して発光装飾体１０の意匠部分となる。カバー１４は、平面視においてリング形状に形成されると共に、断面視において下方に開口する略ドーム状に形成されている。すなわち、カバー１４は、導光体２０側の裏面が光源１６から離間すると共に、該裏面と導光体２０との間に空間部１０ａを画成するよう構成されている。また、カバー１４は、表面に金属調のコーティングが施され、このコーティングが施された部位が光を反射し得るようになっている。ここで、カバー１４は、全体として光を透過しないように構成されている。なお、カバー１４の表面に施すコーティングは、表面全体に限られず、外方に臨む外面だけであったり、光源１６に臨む内面だけであったりする等、特定の部位に形成してもよい。
【００１８】
前記反射部１８は、光源１６の光照射方向前側となる上側に配設され、光源１６から照射された光を反射し得るようになっている。反射部１８は、前記空間部１０ａに臨むようにカバー１４の裏面全体に設けられている。反射部１８は、光反射性を有する発泡体シート、反射塗料からなる塗膜、めっき等の金属調のコーティングなど、光を反射し得る構成であれば採用可能であるが、実施例１の如く発泡体シートを用いるのが好適である。実施例１の反射部１８をなす発泡体シート(例えば株式会社イノアックコーポレーション製,ＦＯＬＥＣ)は、超臨界法によって得られる独泡構造のポリオレフィン系(特にＰＰ(ポリプロピレン系))の発泡体をシート状に形成したものであって、互いに独立した微細な気泡を有している。
【００１９】
前記導光体２０は、リング形状に形成された板状の部材であって、内周縁部および外周縁部の夫々がベース１２とカバー１４との間に挟まれて、ベース１２とカバー１４との間に端面２０ａが臨むように配設されている(図２参照)。導光体２０は、光源１６を挟んで反射部１８と反対側に位置して、反射部１８と対面するように配設されており、光源１６から照射された光を直接受けないようになっている。導光体２０は、光を透過可能な、例えばガラス、アクリル樹脂、ＰＣ(ポリカーボネート)などの材料から形成され、反射部１８からの反射光を受けて外方に臨む端面(部分)２０ａが発光されるよう構成されている。発光装飾体１０では、基板１７と導光体２０とが上下に重なるように配設されるが、基板１７が導光体２０より幅狭に形成されて(図１参照)、導光体２０の上面側部が反射部１８に対面するようになっている。
【００２０】
〔実施例１の作用〕
次に、実施例１に係る発光装飾体１０の作用について説明する。複数の光源１６から照射された光は、反射部１８によって反射されて、導光体２０に対して基板１７の側方に延出している部分から入射し、これにより導光体２０における外方に臨む端面２０ａを発光させることで、発光装飾体１０の外周縁および内周縁をぼんやりと光るように発光装飾している。このように、発光装飾体１０は、複数の光源１６から照射した光を導光体２０に直接入射させるのではなく、反射部１８による反射により拡散させた後に導光体２０に入射させるから、光源１６の位置だけが明るくなることを回避できる。従って、光源１６を増やすことなく、発光装飾体１０の外周縁および内周縁をむらなく一様に光らせることができる。そして、光源１６の数を減らすことができるから、部品点数を減らしてコストダウンし得ると共に省電力になり、また光源１６の発熱による不都合が起き難い。ここで、光源１６を実装した基板１７は、導光体２０と重なる関係にあるが、導光体２０よりも基板１７が幅狭に形成されているので、基板１７が導光体２０に対する反射光の入射の邪魔にならない。
【００２１】
前記発光装飾体１０は、光源１６を挟んで反射部１８と反対側に導光体２０を配設しているので、光源１６から照射された光が反射部１８で反射して導光体２０に入射するまでの距離をかせぐことができ、光源１６と導光体２０とを近接配置することができる。特に、収束性のよい光を照射し得るＬＥＤを光源１６として用いた場合であっても、前述のように、光源１６と導光体２０との距離を確保することができるので、光源１６の位置だけが明るくなることを回避して、導光体２０の端面２０ａをむらなく発光させることができる。従って、発光装飾体１０は、ベース１２、導光体２０、基板１７、反射部１８およびカバー１４の重なり方向にコンパクトにでき、これにより全体的なデザインの自由度も向上する。また、発光装飾体１０は、光源１６から照射した光が反射部１８で直接反射される構成であり、反射部１８で光は拡散するものの、導光体２０に入射するまでに光の減衰が少ない。例えば、光源１６から照射した光を導光体２０や他の光拡散板などに一旦通して反射部１８で反射させる構成であると、導光体２０や他の光拡散板などを通した際に光が減衰してしまう。すなわち、実施例１の発光装飾体１０によれば、少ない光源１６によって明るさを落とすことなく、導光体２０の端面２０ａをむらなく光らせることができる。
【００２２】
前記発光装飾体１０は、反射部１８として前述した発泡体シートを用いることで、反射部１８の反射面に形成されたセルによる微細な凹凸によって、光を反射する際の角度依存性を少なくすることができる。従って、光源１６から照射された光を反射部１８でより適切に拡散することができ、導光体２０における外方に臨む端面２０ａをよりむらなく光らせることができる。また、カバー１４の内面を反射部１８の設置部分として用いるので、反射部１８を設置するために別に設置部を形成する必要はなく、部品点数を減らすことができる。
【実施例２】
【００２３】
図３に示す実施例２の発光装飾体２８は、表側に開放した断面コ字状に形成されたベース１２の内面に反射部１８が設けられ、このベース１２の表側開口を覆うように板状の導光体２０が配設されている。また、発光装飾体２８は、ベース１２の表側開口に合致する裏側開口を有する略ドーム形状に形成されたカバー１４によって、導光体２０の表側を覆っている。発光装飾体２８は、ベース１２の表側開口縁とカバー１４の裏側開口縁との間に導光体２０を挟持して、導光体２０の両側の端面２０ａが外方に露出するよう構成される。発光装飾体２８は、導光体２０における反射部１８に臨む面に、基板１７に実装された光源１６が配設され、ベース１２の内面に配設された反射部１８に向けて光源１６から光を照射し得るようになっている。そして、実施例２の発光装飾体２８は、光源１６から照射された光を反射部１８で反射し、反射部１８で反射した反射光が光源１６の光照射方向後側に配設された導光体２０に入射し、ベース１２とカバー１４との間から外方に臨む導光体２０の端面２０ａが発光される。ここで、発光装飾体２８は、ベース１２を光透過不能に構成したり、ベース１２の内面に反射面を設けたり、導光体２０おける反射部１８と反対面に反射面を設けたりすることで、導光体２０に光が集まるようになっている。なお、実施例２で説明しない構成は、実施例１の構成を適宜適用可能である。
【００２４】
実施例２の発光装飾体２８によれば、実施例１と同様の作用効果が得られる。実施例２の発光装飾体２８は、光源１６を挟んで反射部１８と反対側に導光体２０を配設しているので、光源１６を実装した基板１７を導光体２０に直接配設しても、光源１６から照射された光が反射部１８で反射して導光体２０に入射するまでの距離をかせぐことができる。また、発光装飾体２８は、導光体２０に基板１７を直接設けてあるので、導光体２０、基板１７、反射部１８およびカバー１４の重なり方向にコンパクトにでき、これにより全体的なデザインの自由度も向上する。そして、発光装飾体２８は、光源１６から照射した光が反射部１８で直接反射される構成であり、反射部１８で光は拡散するものの、導光体２０に入射するまでに光の減衰が少ないので、少ない光源１６によって明るさを落とすことなく、導光体２０の端面２０ａをむらなく光らせることができる。
【００２５】
(変更例)
前述した実施例の構成に限定されず、例えば以下のようにも変更可能である。
(１)発光装飾体は、反射部が光源の光照射方向前側に配設されると共に、光源を挟んで反射部と反対側に導光体が配設される構成であればよく、ベースまたはカバーを省略したり、導光体の端面以外の部分を発光させてもよい。図４に示す変更例１の発光装飾体３０は、ベース１２に反射部１８が設けられ、このベース１２を覆うように略ドーム形状の導光体２０が配設されている。また、導光体２０における反射部１８に臨む面に、基板１７に実装された光源１６が配設されている。そして、変更例１の発光装飾体３０は、光源１６から照射された光を反射部１８で反射し、反射部１８の反射光によって導光体２０全体が発光される。また、図５に示す変更例２の発光装飾体３２は、ベース１２を略トレイ状に形成して、ベース１２の開放端を導光体２０で塞ぐようになっている。変更例２の発光装飾体３２は、基板１７に実装された光源１６が支持部３４に支持されて、導光体２０とベース１２との中間部に配置されている。そして、変更例２の発光装飾体３２は、光源１６から照射された光を反射部１８で反射し、反射部１８の反射光によって導光体２０全体が発光される。このように、変更例１および２の発光装飾体３０,３２によれば、導光体２０でカバーを兼用して部品点数を減らすことができると共に、実施例と同様の作用効果が得られる。
【００２６】
(２)光源は１つであってもよい。またＬＥＤは、単色またはフルカラーの何れであってもよい。
(３)導光体は、光を透過可能であれば、透明であっても着色されていてもよい。
(４)発光装飾体の形状は、リング形状に限定されず、デザインに合わせて適宜変更可能である。
(５)発光装飾体は、自動車のエンブレムに限られず、車両内装部材や車両以外その他に適用することができる。
【符号の説明】
【００２７】
１２ ベース，１４ カバー，１６ 光源，１７ 基板，１８ 反射部，２０ 導光体，
２０ａ 端面(部分)
【図１】
2013118175.tif 000003
【図２】
2013118175.tif 000004
【図３】
2013118175.tif 000005
【図４】
2013118175.tif 000006
【図５】
2013118175.tif 000007
【図６】
2013118175.tif 000008
【図７】
2013118175.tif 000009